(57)【要約】【課題】最小限の型枠により各径及び断面形状のＰＣａ成形体を成形する。【解決手段】ＰＣａ成形体の型枠は、円形部分を四半分割した台形円錐筒形の四つの固定型枠３と、固定型枠３間に連結されて直線部を成形するための型枠からなっていて、直線部成形用型枠は固定型枠３における上底と下底の直径差分の寸法またはその整数倍の寸法を幅寸法とする複数の分割型枠４を相互脱着かつ固定型枠３に連結可能に配列したものであり、頂部の成形から下段の成形体の成形に至るにつれ、固定型枠３の側面に順次前記分割型枠４を継足すことによって、組立状態では同一勾配であって、直線部分の長さが連続して増加する複数のプレキャスト成形体１ａ〜１ｈを得るものである。【選択図】      図２
2005030066.tif 000002
【特許請求の範囲】
【請求項１】
上方に向けて漸次縮径する塔体を高さ方向に対して分割した複数のプレキャスト成形体を高さ方向に連結することにより塔体を構築する方法であって、
前記プレキャスト成形体は、構築されるべき塔体の当該成形体における縮径割合に応じて縮径可能な型枠内にコンクリートを打設することによって成形され、該型枠は、横方向に分割されて相互に脱着可能な複数の分割型枠を備えてなることを特徴とするプレキャスト成形体を用いた塔体の構築方法。
【請求項２】
前記分割型枠の幅寸法が、前記塔体の分割数と当該プレキャスト成形体の縮径割合とから求められる単位幅寸法またはその整数倍に設定されていることを特徴とするプレキャスト成形体を用いた塔体の構築方法。
【請求項３】
頂部が断面円形であって、底部が角部前記円形の半径と同一半径の四半円形をなす矩形状断面の塔体を高さ方向に対して均等に複数分割したプレキャスト成形体を用い、該プレキャスト成形体を高さ方向に連結することにより勾配が連続した塔体を構築する方法であって、
前記各プレキャスト成形体の成形用型枠は、前記円形部分を四半分割した台形円錐筒形の四つの固定型枠と、各固定型枠間に連結されて直線部を成形するための型枠からなっていて、
前記直線部成形用型枠は、前記固定型枠における上底と下底の直径の差分の寸法またはその整数倍の寸法を幅寸法とする複数の分割型枠を相互脱着可能かつ前記固定型枠に連結可能に配列したものであることを特徴とするプレキャスト成形体を用いた塔体の構築方法。
【請求項４】
請求項１または２に記載の構築方法に用いられるプレキャスト成形体を成形するための型枠であって、
横方向に分割されて相互に脱着可能な複数の分割型枠を備えてなり、該分割型枠の幅寸法が、前記塔体の分割数と当該プレキャスト成形体の縮径割合とから求められる単位幅寸法またはその整数倍に設定されていることを特徴とする型枠。
【請求項５】
請求項３に記載の構築方法に用いられるプレキャスト成形体を成形するための型枠であって、
前記円形部分を四半分割した台形円錐筒形の四つの固定型枠と、各固定型枠間に連結されて直線部を成形するための直線部成形用型枠とからなり、
該直線部成型用型枠は、前記固定型枠における上底と下底の直径の差分の寸法またはその整数倍の寸法を幅寸法とする複数の分割型枠を相互脱着可能かつ前記固定型枠に連結可能に配列したものであることを特徴とする型枠。
【発明の詳細な説明】
【０００１】
【発明の属する技術分野】
本発明は、特に、上方に向けて漸次縮径する連続的な勾配を有し、かつ、頂部が円形、底部か矩形状などの変断面形状を有する塔体の構築に採用して好適なプレキャスト成形体を用いた塔体の構築方法およびこの方法に用いられる型枠に関する。
【０００２】
【従来の技術】
勾配を有し、かつ径が変化するような円筒形状の構造物を現場打ちコンクリートにより施工することは、例えばスリップフォーム工法などにより実施することができる。例えば風力発電所などのように高さの割には小径の小型塔構造物などにおいては、現場打ち工法では採算性が合わず現実的でない。したがって、これを高さ方向に複数に分割して複数のプレキャスト（ＰＣａ、以下ＰＣａと略記する）成形体を成形し、これを多段に積重ねて一つの塔体とすることが望まれている。
【０００３】
ところで、勾配を有するＰＣａ成形体を成形する技術としては、型枠を内外方向に拡縮させる駆動支保機構を備えた型枠装置が開発されている（特許文献１）。
【０００４】
【特許文献１】
特開２００３−３３９０７号公報（Ｐ２００３−３３９０７Ａ）
【０００５】
【発明が解決しようとする課題】
しかしながら、この文献に開示された技術においては、多角形に形成された一定の断面形状を有するＰＣａ成形体の成形には好適であるが、例えば底部断面が矩形状で上部に至るにつれて円形断面に近づくような変断面形状を作る場合には、不適であり、各部の径や形状が異なることにより、型枠ピースが増加するという課題がある。
【０００６】
本発明は、例えば、断面が矩形状で上部に至るにつれて円形断面に近づくような変断面形状の塔体を構築するにあたり、最小限の型枠により、それぞれの径及び断面形状のＰＣａ成形体を成形でき、もって、とりわけ変断面形状の塔体を容易かつ迅速に構築することができるＰＣａ成形体を用いた塔体の構築方法およびこの方法に用いられる型枠を提供することを目的とする。
【０００７】
【課題を解決するための手段】
前記目的を達成するため本発明方法は、上方に向けて漸次縮径する塔体を高さ方向に対して分割した複数のプレキャスト成形体を高さ方向に連結することにより塔体を構築する方法であって、前記プレキャスト成形体は、構築されるべき塔体の当該成形体における縮径割合に応じて縮径可能な型枠内にコンクリートを打設することによって成形され、該型枠は、横方向に分割されて相互に脱着可能な複数の分割型枠を備えてなることを特徴とする。
【０００８】
この発明においては、前記分割型枠の幅寸法が、前記塔体の分割数と当該プレキャスト成形体の縮径割合とから求められる単位幅寸法またはその整数倍に設定されていることが好ましい。
【０００９】
また、本発明方法は、頂部が断面円形であって、底部が角部前記円形の半径と同一半径の四半円形をなす矩形状断面の塔体を高さ方向に対して均等に複数分割したプレキャスト成形体を用い、該プレキャスト成形体を高さ方向に連結することにより勾配が連続した塔体を構築する方法であって、前記各プレキャスト成形体の成形用型枠は、前記円形部分を四半分割した台形円錐筒形の四つの固定型枠と、各固定型枠間に連結されて直線部を成形するための型枠からなっていて、前記直線部成形用型枠は、前記固定型枠における上底と下底の直径の差分の寸法またはその整数倍の寸法を幅寸法とする複数の分割型枠を相互脱着可能かつ前記固定型枠に連結可能に配列したものであることを特徴とする。
【００１０】
一方、本発明に係る型枠は、上記プレキャスト成形体を成形するための型枠であって、横方向に分割されて相互に脱着可能な複数の分割型枠を備えてなり、該分割型枠の幅寸法が、前記塔体の分割数と当該プレキャスト成形体の縮径割合とから求められる単位幅寸法またはその整数倍に設定されていることを特徴とする。
【００１１】
また、本発明に係る型枠は、上記プレキャスト成形体を成形するための型枠であって、前記円形部分を四半分割した台形円錐筒形の四つの固定型枠と、各固定型枠間に連結されて直線部を成形するための直線部成形用型枠とからなり、該直線部成型用型枠は、前記固定型枠における上底と下底の直径の差分の寸法またはその整数倍の寸法を幅寸法とする複数の分割型枠を相互脱着可能かつ前記固定型枠に連結可能に配列したものであることを特徴とする。
【００１２】
【発明の実施の形態】
以下、本発明の好ましい実施の形態につき、添付図面を参照して詳細に説明する。図１（ａ），（ｂ）は本発明の構築方法により構築される塔体の第一実施形態を示し、図２（ａ），（ｂ）は同プレキャスト成形体を成形するための本発明に係る型枠を示す。
【００１３】
図１において、本発明が適用される塔体１は、例えば、頂部断面が円形であって、下部が前記円形と同一半径の曲面角部を有する矩形状断面の先細り勾配状の塔体であって、最上部から最低部までその勾配が一定に連続すべく８分割して作られたＰＣａ成形体１ａ〜１ｈを８つ積重ねたものであり、この形状を前提として型枠が作成される（実際の塔体は、例えば図３に示される例のように３０分割等の多数に分割されるが、説明の便宜上、ここではモデル的に８分割の例を示した）。
【００１４】
この型枠は、特に図２（ａ）に示すごとく、最上部の水平断面円形部分を横方向に四半分割して所定勾配で形成された台形円錐筒型の４つの固定型枠３と、固定型枠３間における水平断面直線部を成形するための複数の分割型枠４とからなっており、固定型枠３は各断面に応じて共用可能としている。
【００１５】
なお、図においては外側型枠のみを示しているが、これと相似形であって、プレキャスト塔体１の肉厚に応じた外形寸法をもって形成される内側型枠が、所定間隔を有して当該外側型枠と対置されている（図示しない）。また、最上部の水平断面を円形としているが、真円のみならず、略円形をも含むことはもちろんである。例えば、図２において、分割型枠４は、上下の幅寸法を同じものとしているが、上方に向けて縮幅する三角形状ないしは台形状とすることもでき、この場合、最上部の水平断面は真円でなくなるが、本発明はこのようなものに適用できることは言うまでもない。
【００１６】
さらに、固定型枠３同士、固定型枠３と分割型枠４、及び分割型枠４間の脱着機構は図示を省略するが、それぞれの縁部から外方に向けてフランジを立ち上げ、対向するフランジにボルトを貫通してナットを螺合するといった周知の結合手段を採用することができる。これにより、外側型枠においては内側を型面とし、外面側において適宜な脱着機構により着脱可能に連結され、内側型枠では外面を型面とし、内側において適宜な脱着機構により着脱可能に連結される。
【００１７】
以上の構成において、例えば、頂部に配置されるＰＣａ成形体１ａを成形するには、固定型枠３同士を連結し、外側型枠と内側型枠間にコンクリートを打設することにより、所定肉厚、所定の勾配の台形円錐型のＰＣａ成形体１ａを成形できる。
【００１８】
また、前記各分割型枠４は、特に図２（ｂ）に示すように、前記固定型枠３における上底と下底の直径の差分に応じた寸法を幅寸法とする直線短冊形のものであり、例えば、頂部の直下、すなわち二段目のＰＣａ成形体１ｂを成形するには、前記固定型枠３の間に分割型枠４を１個配置し、固定型枠３に連結した状態で成形を行えば、一段目のＰＣａ成形体１ａの下底寸法に近似する上底寸法の二段目ＰＣａ成形体１ｂを得られる。
【００１９】
以後の成形は、下部側の成形毎に固定型枠３に分割型枠４を一つずつ加えつつ転用することで、直線部の幅寸法が増加するとともに、所定勾配でほぼ連続したＰＣａ成形体１ｃ〜１ｈが得られることになる。
【００２０】
なお、本実施形態では、分割型枠４の幅寸法を固定型枠３における上底と下底の直径寸法差として一定としているが、その整数倍のものを混在させることも可能である。例えば塔体の高さ方向の分割数をｎとした場合には、底部ＰＣａ成形体は、一辺で最大（ｎ−１）個の分割型枠４が必要となるが、分割数が多い場合であって、底面から順に成形する場合に、次の高さのものを成形する場合には、減数が各辺で１個ずつ、合計４個となり、成形毎に４個の分割型が余るため、無駄が多い。
【００２１】
したがって、整数倍寸法の分割型枠も用意し、減数（底部側から成形する場合）または増数毎（頂部側から成形する場合）に組合わせを換えることで分割型の有効な転用を図ることができる。また、最小単位幅の１倍、２倍、４倍、８倍．．．に設定した各分割型枠４を用意しておくことにより、その組合せによって任意の正数倍の幅寸法を形成することができ、用意すべき分割型枠の数を減らすとともに、その組付け工数も減らすことができ、工期の短縮につなげることもできる。
【００２２】
図３は、本発明方法を風力発電の塔体に適用した場合の第二実施形態を示すもので、このものの高さは６０ｍ，頂部径３．５ｍ、肉厚２０ｃｍの円形断面，底面径４．５ｍ、肉厚４０ｃｍであり、これを高さ方向に約３０分割して約３０個のＰＣａ成形体を成形した場合を例示しており、このうち（ａ）は成形用型枠を仮想的に積上げた状態を示し、（ｂ）は得られたＰＣａ成形体を積上げて形成された塔体１０を示している。
【００２３】
型枠のうち、１２は四半円筒型の固定型枠、１４は固定型枠１２に接合された複数の分割型枠である。
【００２４】
このような成形体における頂部を構成するＰＣａ成形体の上底と下底の寸法差は、モデル的に示した図１，２のものと比較して極小であるため、本発明方法を適用した場合にはより滑らかな連続性を得ることができる。
【００２５】
【発明の効果】
以上の説明により明らかなように、本発明によるＰＣａ成形体を用いた塔体の構築方法およびこの方法に用いられる型枠にあっては、最小限の型枠により、異なる径及び形状のＰＣａ成形体を容易かつ迅速に成形することができ、もって、当該ＰＣａ成形体を用いることにより塔体を容易かつ迅速に構築することができる。
【図面の簡単な説明】
【図１】（ａ）は本発明の第一実施形態による方法を適用したＰＣａ成形体を用いて構築される塔体の平面図、側面図、底面図、（ｂ）はその各ＰＣａ成形体を示す斜視図である。
【図２】（ａ）は同塔体の成形用型枠の組合わせを示す側面図、（ｂ）は同斜視図及び分解斜視図である。
【図３】（ａ）は本発明を風力発電機の塔体に適用した場合を示す第二実施形態による型枠の組合わせ例を示す側面図、（ｂ）は同塔体の完成状態を示す斜視図である。
【符号の説明】
１，１０  塔体
１ａ〜１ｈ  ＰＣａ成形体
３，１２  固定型枠
４，１４  分割型枠
３０  外側型枠
３１  内側型枠
【図１】
2005030066.tif 000003
【図２】
2005030066.tif 000004
【図３】
2005030066.tif 000005